(57)【要約】【課題】従来、ペット用抜け毛取り道具では、抜け毛を取る量が限られるため、ブラッシングとブラシから抜け毛を取り除く作業を交互に繰り返す必要があり、また、抜け毛取り道具に付着した抜け毛を取り除きにくいという問題があった。【解決手段】ブラシ歯または櫛歯間に水分吸着部材を取り外し自在に設けたブラシおよび櫛とする。【選択図】図２
2010220595.tif 000002
【特許請求の範囲】
【請求項１】
ブラシ歯または櫛歯間に水分吸着部材を取り外し自在に設けたことを特徴とするペット用抜け毛取り道具。
【請求項２】
ブラシ台座を折り曲げることができる請求項１記載のペット用抜け毛取り道具。
【請求項３】
櫛歯が分割できる請求項１記載のペット用抜け毛取り道具。
【発明の詳細な説明】
【技術分野】
【０００１】本発明は、ペット用の抜け毛取り道具に関するものである。
【背景技術】
【０００２】従来、ペット用抜け毛取り道具は、ブラシの台座に複数の棒状や繊維状のブラシ歯を固定してあり、ブラッシングにより、ブラシ歯の間に抜け毛が積層される。【０００３】また、櫛でペットのブラッシングをする時にも、櫛歯の間に抜け毛が積層される。
【先行技術文献】
【特許文献】
【０００４】
【特許文献１】実開平６−２１７５７
【発明の概要】
【発明が解決しようとする課題】
【０００５】従来、台座に棒状のブラシ歯を固定してあるブラシは、抜け毛同士の接着力は小さいため、台座およびブラシ歯に付着した抜け毛の上に積層する抜け毛は、再度ブラッシングするとブラシから外れてしまい、抜け毛が多いときは、ブラッシングとブラシから抜け毛を取り除く作業を交互に繰り返す必要があった。【０００６】台座に繊維状のブラシ歯を固定してあるブラシは、繊維間に抜け毛が絡みやすく、ブラッシングと抜け毛を取り除く作業を交互に繰り返す回数は、棒状のブラシ歯を固定してあるブラシを使用する場合に比べて少なくてすむが、繊維間に絡まった抜け毛をブラシから取り除きにくいという問題があった。【０００７】実開平６−２１７５７のブラシ兼用シャワーは、シャワーのノズルの部分を突出させ、ノズルを犬や猫等ペットの毛の中にさしこみ、水を散布しながらブラッシングするもので、抜け毛を取りながらペットの体を洗浄できるが、ブラシがシャワーにつながっているため、シャワーが届く場所でしかブラッシングできなかった。また、ペットに付着した水を拭き取る際には、タオルで拭くなど別の道具を用いなければならなかった。【０００８】櫛でペットをブラッシングするときは、櫛歯の先端がペットの皮膚に近い部分まで到達するため、櫛歯の先端に近い位置まで抜け毛を積層できるが、櫛の歯は１列であるために、櫛に積層することができる抜け毛の量は限られていた。【０００９】本発明は以上の事情に基づいてなされたものであって、その目的は、ペットのブラッシング時に抜け毛をブラシおよび櫛に積層しやすくし、短時間でブラッシングを完了できることにある。
【課題を解決するための手段】
【００１０】上記課題を解決するために、ブラシ歯または櫛歯間にスポンジ、紙、布、含水ポリマーなどの水分吸着部材を取り外し自在に設けたブラシまたは櫛とするものである。【００１１】また、ブラシ台座を折り曲げることができ、折り曲げ部に水分吸着部材を取り外し自在に設けたブラシまたは櫛とするものである。【００１２】また、櫛歯が分割でき、分割したブラシ間に水分吸着部材を取り外し自在に設けたブラシまたは櫛とするものである。
【発明の効果】
【００１３】水分を含んだ水分吸着部材をブラシ歯または櫛歯間に取り付けてブラッシングをすると、水分吸着部材から供給される水分でブラシ歯または櫛歯間に付着した抜け毛の表面が覆われるため、さらにブラッシングした際に取れる抜け毛は、すでにブラッシングでブラシに積層した抜け毛に水分を介して接着するため、従来のブラシおよび櫛に比べ、抜け毛をより多く積層させることができ、抜け毛を効率よく取ることができる。【００１４】また、抜け毛の多くは、水分吸着部材に積層するため、水分吸着部材を外すことで、ブラシから抜け毛を取り除く時間を短縮することができる。【００１５】さらに、水分吸着部材を外した後に、ブラシ歯または櫛歯間に、水分を含まない水分吸着部材を取り付けて、ブラッシングすれば、ペットの毛に付着した水分や汚れを、タオルなどブラシとは別の道具を用いて拭き取らなければならないという問題が解消できる。
【図面の簡単な説明】
【００１６】
【図１】  水分吸着部材取り付け溝付きブラシの側面図
【図２】  水分吸着部材取り付け溝付きブラシの水分吸着部材使用時の斜視図
【図３】  水分吸着部材取り付け溝付きブラシの水分吸着部材使用時の側面図
【図４】  折り曲げ式ブラシの斜視図
【図５】  折り曲げ式ブラシの台座面の平面図
【図６】  折り曲げ式ブラシの水分吸着部材使用時の斜視図
【図７】  櫛歯分割式ブラシのブラシ結合時の側面図
【図８】  櫛歯分割式ブラシを非結合側から見た平面図
【図９】  図７のＡ−Ａ断面図
【図１０】  図７のＢ−Ｂ断面図
【図１１】  櫛歯分割式ブラシの水分吸着部材使用時の側面図
【図１２】  櫛歯分割式ブラシに取り付ける水分吸着部材の平面図
【発明を実施するための形態】
【００１７】  以下、本発明の実施の形態を説明する。
（イ）図１は水分吸着部材取り付け溝付きブラシの側面図である。水分吸着部材（４）を取り付ける水分吸着部材取り付け溝（６）はブラシ台座（２）のブラシ歯面に設けてあり、水分吸着部材（４）は、水分吸着部材取り付け溝（６）にスライドさせて取り外し自在とする。
（ロ）図２のように、水分吸着部材取り付け溝（６）に水分を含ませた水分吸着部材（４）を取り付け、ブラッシングをおこなう。
（ハ）抜け毛を取り終えたら、ブラシ（１）から水分吸着部材（４）を外す。
（ニ）水分吸着部材取り付け溝（６）に水分を含まない水分吸着部材（４）を取り付けブラッシングすることで、ペットに付着した余分な水分が水分吸着部材（４）に吸われ、水分を拭き取ることができる。
（ホ）ブラシから水分吸着部材（４）を外し、ブラシ台座（２）、ブラシ歯（３）に付着している抜け毛を除去することでブラッシングを完了する。
【実施例】
【００１８】＜実施例１＞
図４〜図６に示すように、棒状のブラシ歯（３）を固定してあるブラシ（１）をブラシ台座（２Ａ）と（２Ｂ）の２つに分割し、ブラシ台座（２Ａ）と（２Ｂ）をブラシ歯側とは反対面で丁番（５）により連結した。ブラシ歯側で丁番（５）を支点として開閉し、水分吸着部材（４）を取り外し自在に設けたブラシとした。【００１９】＜実施例２＞
図７〜図１２のように、櫛台座（１１）に櫛歯（１２）と直角方向に凸型連結部材（１４）となる丸棒を接合した凸型連結部材付きの櫛（１０Ａ）と、このブラシの凸型連結部材（１４）に連結する位置に凸型連結部材の外径がおさまる内径を有した凹状の部品である凹型連結部材（１３）を接合した凹型連結部材付きの櫛（１０Ｂ）を作成した。凸型連結部材（１４）に嵌まる大きさの穴を開けた水分吸着部材（４）を嵌めて、凸型連結部材付きの櫛（１０Ａ）と凹型連結部材付きの櫛（１０Ｂ）を連結した。
【産業上の利用可能性】
【００２０】繊維状の植物樹皮や繊維など繊維状素材を清掃する際に、繊維状素材の付け根まで水分吸着部材から水分が供給されるため、抜けた繊維、あるいは抜けやすい繊維が除去でき、しかも繊維状素材に付着した汚れを取りやすい。
【符号の説明】
【００２１】  １      ブラシ
２      ブラシ台座
２Ａ    分割されたブラシ台座
２Ｂ    分割されたブラシ台座
３      ブラシ歯
４      水分吸着部材
５      丁番
６      水分吸着部材取り付け溝
１０Ａ  凸型連結部材付きの櫛
１０Ｂ  凹型連結部材付きの櫛
１１    櫛台座
１２    櫛歯
１３    凹型連結部材
１４    凸型連結部材
１５    連結部貫通穴
【図１】
2010220595.tif 000003
【図２】
2010220595.tif 000004
【図３】
2010220595.tif 000005
【図４】
2010220595.tif 000006
【図５】
2010220595.tif 000007
【図６】
2010220595.tif 000008
【図７】
2010220595.tif 000009
【図８】
2010220595.tif 000010
【図９】
2010220595.tif 000011
【図１０】
2010220595.tif 000012
【図１１】
2010220595.tif 000013
【図１２】
2010220595.tif 000014